(57)【要約】【課題】深さ方向に先細りの幅を有する溝を、簡単な手順でかつ高い歩留まりでゲルに形成する。【解決手段】ゲル作製カセット１００は、下板１３０、中板１２０、および上板１１０が重ねられたものである。中板１２０は、中央面１２５と、中央面１２５の両脇に設けられた土手部１２４ａ、１２４ｂと、土手部１２４ａ、１２４ｂに設けられた孔部１２６と、中央面１２５における中板１２０の一方端部よりに設けられた長孔１２１と、を備えている。上板１１０は、一方の端部に設けられた鍔部１１６と、中板１２０と重なる主面１１２から突出し鍔部１１６の近傍に設けられた凸部１１５と、主面１１２から突出し両側面側に設けられた突起部１１７とを備えている。上板１１０が中板１２０に重ねられたとき、凸部１１５は長孔１２１に嵌る。凸部１１５の先端部１１５ｐは、長孔１２１からゲル用隙間１４０の中に突出する。【選択図】図７
2016211963.tif 000002
【特許請求の範囲】
【請求項１】
下板と、
前記下板の上に重ねられるべき中板と、
前記中板の上に、前記中板と取り外し可能に重ねられるべき上板と、
を備え、
前記中板には、前記中板の厚さ方向に前記中板を貫通し前記中板の平面方向に線状となる長孔が設けられ、
前記下板または前記中板の少なくとも一方は、前記中板の少なくとも前記長孔周辺と前記下板との間にゲル用隙間をつくる土手部を備え、
前記土手部は、前記中板における前記長孔の短手方向の両端部まで前記ゲル用隙間を到達させるものであり、
前記上板は、前記中板と重なる面から突出し前記長孔に嵌る凸部を有し、
前記凸部の先端部が前記長孔から前記ゲル用隙間の中に突出し、且つ前記先端部が前記凸部の高さ方向に先細り形状であることを特徴とする電気泳動用ゲル作製カセット。
【請求項２】
前記先細り形状は前記先端部の角部を部分的に斜めとしたものであり、前記先端部における最も先端の面が前記下板と平行であることを特徴とする請求項１に記載の電気泳動用ゲル作製カセット。
【請求項３】
前記凸部は、前記中板の中央側を向く第１側面と、前記中板の端面側を向く第２側面とを有し、
前記先細り形状は、前記先端部における前記第２側面の側の角部のみを斜めとしたものであることを特徴とする請求項１に記載の電気泳動用ゲル作製カセット。
【請求項４】
前記長孔における長手方向の中央孔部は第１の幅を有し、
前記長孔の長手方向端には、前記第１の幅よりも広い第２の幅を有する幅広孔部が設けられたことを特徴とする請求項１に記載の電気泳動用ゲル作製カセット。
【請求項５】
前記凸部の長手方向端部は前記幅広孔部に重なり、前記凸部の長手方向端部には前記凸部の中央凸部よりも幅広に形成された幅広凸部が設けられ、前記幅広凸部は前記幅広孔部と同じ輪郭を有し、前記中央凸部と前記幅広凸部の両方が先細り形状であることを特徴とする請求項４に記載の電気泳動用ゲル作製カセット。
【請求項６】
前記長孔を構成する内周面と前記凸部との間には隙間が設けられ、
前記凸部は、前記中板の中央側を向く第１側面と、前記中板の端面側を向く第２側面とを有し、
前記第１側面と前記内周面との間の隙間は、前記第２側面と前記内周面との間の隙間よりも大きいことを特徴とする請求項１に記載の電気泳動用ゲルカセット。
【請求項７】
前記上板の片側端部に、前記中板の端において前記ゲル用隙間を塞ぐ鍔部が設けられたことを特徴とする請求項１に記載の電気泳動用ゲル作製カセット。
【請求項８】
前記下板、前記中板、および前記上板は、互いに同一の平面寸法を有する四角形であり、
前記下板、前記中板、および前記上板は、それぞれ、表面、裏面、および前記表面と前記裏面とを結ぶ端面を有し、
前記端面は、第１端面、前記第１端面の反対側に設けられた第２端面、および前記第１、２端面を結ぶ一組の第３端面を含み、これらの第１〜第３端面は直角あるいは略直角に連結しており、
前記中板に設けられた長孔は、前記一組の第３端面の一方から他方に向かって、前記第１、２端面と平行に伸びており、
前記長孔は、前記中板の中央よりも前記第１端面の側に設けられており、
前記土手部は、前記長孔の長手方向両端のそれぞれに設けられ、これらの複数の前記土手部は互いに平行な段差を形成し、前記平行な段差は前記第１端面から前記第２端面まで連続して伸びており、前記ゲル用隙間の幅寸法は、前記中板における前記長孔の短手方向両端部まで等しい幅寸法となっていることを特徴とする請求項１に記載の電気泳動用ゲル作製カセット。
【請求項９】
下板と、前記下板の上に重ねられた中板と、前記中板の上に重ねられた上板と、を備え、前記中板には、前記中板の厚さ方向に前記中板を貫通し前記中板の平面方向に線状となる長孔が設けられ、前記下板または前記中板の少なくとも一方は、前記中板の少なくとも前記長孔周辺と前記下板との間にゲル用隙間をつくる土手部を備え、前記土手部は、前記中板における前記長孔の短手方向の両端部まで前記ゲル用隙間を到達させるものであり、前記上板は、前記中板と重なる面から突出し前記長孔に嵌る凸部を有し、前記凸部の先端部が前記長孔から前記ゲル用隙間の中に突出し、且つ前記先端部が前記凸部の高さ方向に先細り形状である電気泳動用ゲル作製カセットを準備するカセット準備工程と、
前記中板と前記下板との間の前記ゲル用隙間にゲル溶液を入れ、前記ゲル溶液を固化させるゲル工程と、
前記ゲル溶液が固化した後に、前記上板を前記中板から取り外す上板除去工程と、
を備えることを特徴とする電気泳動用ゲルの製造方法。
【発明の詳細な説明】
【技術分野】
【０００１】
本発明は、電気泳動用ゲル作製カセットおよび電気泳動用ゲルの製造方法に関する。
【背景技術】
【０００２】
従来、例えば、下記の特許文献１、２に開示されているように、薄板状ゲルを用いて電気泳動を行うゲルカセットが知られている。また、下記の非特許文献１に記載されているＨＤＧＰ（Hyper Detection of infectious disease based on Genome Profiling：総合的病原微生物感染症診断手法）によれば、温度勾配電気泳動（temperature gradient gel electrophoresis :TGGE）により得られた２次元平面上の泳動像（バンドパターン）をパターン解析することで、より高度な分析を行うことができる。また、本願出願人は、下記の特許文献３に記載しているように、薄板状ゲルに対する電気泳動および撮像を自動化した電気泳動装置を開発している。
【先行技術文献】
【特許文献】
【０００３】
【特許文献１】特開２００１−１６５９０３号公報
【特許文献２】特許第４４２４９３８号公報
【特許文献３】国際公開第２０１４／１７８１０７号公報
【非特許文献】
【０００４】
【非特許文献１】Yoshinori Hatakeyama, Keiichi Hamano and Hidetoshi Iwano, (2008), An Ultimate Method for Detection of Infected Pathogenic Microorganism from Silkworm using HDGP, Journal of Insect Biotechnology and Sericology 77, 1-7
【発明の概要】
【発明が解決しようとする課題】
【０００５】
上記従来の技術では、薄板状ゲルの表面にサンプルを分注するための溝が設けられている。本願発明者は、独自の研究により、深さ方向に先細りの幅を有する溝とすることで泳動像（バンドパターン）を鮮明にできることを見出した。この泳動像鮮明化技術を実際に利用するためには、簡単な手順でかつ高い歩留まりで、深さ方向に先細りの幅となる溝を薄板状ゲルに形成することが求められる。
【０００６】
本発明は、上述のような課題を解決するためになされたもので、深さ方向に先細りの幅を有する溝を、簡単な手順でかつ高い歩留まりでゲルに形成することができる電気泳動用ゲル作製カセットおよび電気泳動用ゲルの製造方法を提供することを目的とする。
【課題を解決するための手段】
【０００７】
本発明にかかる電気泳動用ゲル作製カセットは、下板と、前記下板の上に重ねられるべき中板と、前記中板の上に、前記中板と取り外し可能に重ねられるべき上板と、を備え、前記中板には、前記中板の厚さ方向に前記中板を貫通し前記中板の平面方向に線状となる長孔が設けられ、前記下板または前記中板の少なくとも一方は、前記中板の少なくとも前記長孔周辺と前記下板との間にゲル用隙間をつくる土手部を備え、前記土手部は、前記中板における前記長孔の短手方向の両端部まで前記ゲル用隙間を到達させるものであり、前記上板は、前記中板と重なる面から突出し前記長孔に嵌る凸部を有し、前記凸部の先端部が前記長孔から前記ゲル用隙間の中に突出し、且つ前記先端部が前記凸部の高さ方向に先細り形状である。
【０００８】
本発明によれば、前記ゲル用隙間内にゲル溶液を入れてそのゲル溶液が固化した後に、前記上板を前記中板から取り外すことができる。これにより前記中板で前記長孔周辺のゲルを押さえ付けつつ、前記凸部をゲルから一定方向にかつ一定角度で抜き出すことができる。その結果、ゲルの破損を抑制しつつ、所望の先細り形状の溝を正確に形成することができる。前記上板を取り外したあと、前記中板、ゲル、および前記下板の積層体が電気泳動用ゲルカセットを構成しても良い。この積層体を電気泳動用カセットホルダに入れて電気泳動を行っても良い。その電気泳動は温度勾配電気泳動であってもよい。
【０００９】
前記中板は好ましくは透明材料からなり、透明樹脂材料を用いてもよい。これにより前記中板越しに泳動像（バンドパターン）を観察したり撮像したりすることもできる。
【００１０】
前記先細り形状は前記先端部の角部を部分的に斜めとしたものであり、前記先端部における最も先端の面が前記下板と平行であることが好ましい。これにより、泳動像（バンドパターン）が細くなりすぎることを防止し、パターンのかすれを抑制することができる。ただし、前記先細り形状はこれに限られず、様々な具体形状が含まれる。前記先細り形状は、前記凸部の根元から前記先端部にかけて前記凸部の側面を全体的に斜め形状（テーパ形状）としたものであっても良く、前記先細り形状は前記先端部の角部を部分的に斜めとしたものであってもよい。この「斜め」とは、一定の傾斜を有する斜面（つまり平斜面）とするものであってもよく、前記先端部の角部を凸曲面または凹曲面とすることで傾斜角度が変化する斜面（つまり曲斜面）とするものであってもよい。前記先端部の角部を、傾きの異なる複数の平斜面を連結させた多角斜面としてもよい。
【００１１】
前記凸部は、前記中板の中央側を向く第１側面と、前記中板の端面側を向く第２側面とを有していてもよい。前記先細り形状は、前記先端部における前記第２側面側の角部のみを斜めとしたものであってもよい。つまり、前記先細り形状は、前記先端部の片側の角部のみを斜面としたものでもよい。前記凸部は、前記長孔に沿って連続した線状の凸部であってもよく、前記長孔に沿って離間的に設けられた複数の凸部であってもよい。
【００１２】
本発明の電気泳動用ゲル作製カセットは、前記ゲル用隙間にゲルが充填され、前記ゲルの表面には前記凸部に対応する長溝が形成された状態で提供されても良い。この場合には、「中板と下板のゲル用隙間」に、空気ではなくゲルが充填されている。
【００１３】
前記長孔における長手方向の中央孔部は第１の幅を有し、前記長孔の長手方向端には前記第１の幅よりも広い第２の幅を有する幅広孔部が設けられていてもよい。分注器によりサンプルを分注した後、最後にエアを吐出する際に、この幅広孔部にてエアを受けることができる。これは特に自動式電気泳動装置において有効である。つまり、分注器を制御プログラムに従って操作し、複数のゲルに分注を行っていく際に、今回の分注を終了する際に溝の終端に設けた幅広孔部でエア抜きができる。前記幅広部は、前記中板の平面視で、円形の輪郭を有してもよく、あるいは多角形の輪郭を有しても良い。前記凸部の長手方向端部は幅広孔部に重なり、この凸部端部には前記凸部の中央凸部よりも幅広に形成された幅広凸部が設けられていても良く、この幅広凸部は、前記幅広孔部と同じ輪郭を有していてもよい。少なくとも中央凸部が先細り形状であることが好ましく、中央凸部と幅広凸部の両方が先細り形状であっても良い。
【００１４】
前記長孔を構成する内周面と前記凸部との間には隙間が設けられ、前記凸部は、前記中板の中央側を向く第１側面と、前記中板の端面側を向く第２側面とを有していてもよい。前記第１側面と前記内周面との間の隙間は、前記第２側面と前記内周面との間の隙間よりも大きいことが好ましい。電気泳動の際にサンプルは中板の中央側へと進むので、前記第１側面により形成されるゲルの溝側面は、サンプルが前記ゲル内へと進入する際の入口面となる。前記第１側面と前記内周面との間の隙間を大きく確保することによって、十分な量のゲル溶液が安定的に第１側面側へと到達するので、この入口面を凹凸のない平滑な面に形成することができる。
【００１５】
前記上板の片側端部に、前記中板の端において前記ゲル用隙間を塞ぐ鍔部が設けられてもよい。前記ゲル用隙間にゲル溶液を注入することで、ゲル溶液は前記ゲル用隙間内を進行して前記ゲル用隙間内を満たす。もし前記鍔部が設けられていない場合には、ゲルが前記中板と前記上板の間からはみ出すので、そのはみ出したゲルを取り除く作業中に溝周辺のゲルを破損してしまうおそれがある。鍔部を設けることでそのような作業をなくし、高い歩留まりでゲルカセットを作製することができる。
【００１６】
本発明にかかる電気泳動用ゲルの製造方法は、前記本発明にかかる電気泳動用ゲル作製カセットを準備するカセット準備工程と、前記中板と前記下板との間の前記ゲル用隙間にゲル溶液を入れ、前記ゲル溶液を固化させるゲル工程と、前記ゲル溶液が固化した後に、前記上板を前記中板から取り外す上板除去工程と、を備える。前記ゲル用隙間内にゲル溶液を入れてそのゲル溶液が固化した後に上板を中板から取り外すことにより、中板が長孔周辺を押さえ付けつつ凸部をゲルから一定方向に抜き出すことができるので、ゲルの破損を抑制しつつ長孔内に溝を正確に形成することができる。
【発明の効果】
【００１７】
本発明によれば、深さ方向に先細りの幅を有する溝を、簡単な手順でかつ高い歩留まりでゲルに形成することができる。
【図面の簡単な説明】
【００１８】
【図１】本発明の実施の形態にかかる電気泳動用ゲルカセット、電気泳動用カセットホルダ、および電気泳動装置全体を示す斜視図である。
【図２】本発明の実施の形態にかかる電気泳動用ゲルカセットと電気泳動用カセットホルダとを示す斜視図である。
【図３】本発明の実施の形態にかかる電気泳動用カセットホルダを示す平面図である。
【図４】本発明の実施の形態にかかる電気泳動用ゲルカセットを示す斜視図である。
【図５】本発明の実施の形態にかかる電気泳動用ゲルカセットからゲルを抜き出して示す斜視図である。
【図６】本発明の実施の形態にかかる電気泳動用ゲルカセットの断面図である。
【図７】本発明の実施の形態にかかる電気泳動用ゲル作製カセットを示す分解斜視図である。
【図８】本発明の実施の形態にかかる電気泳動用作製ゲルカセットの下板を示す斜視図である。
【図９】本発明の実施の形態にかかる電気泳動用ゲル作製カセットの中板を示す斜視図である。
【図１０】本発明の実施の形態にかかる電気泳動用ゲル作製カセットの上板を示す斜視図である。
【図１１】本発明の実施の形態にかかる電気泳動用ゲル作製カセットを示す透視斜視図である。
【図１２】本発明の実施の形態にかかる電気泳動用ゲル作製カセットを示す透視斜視図である。
【図１３】本発明の実施の形態にかかる電気泳動用ゲル作製カセットの上板を示す部分拡大斜視図である。
【図１４】本発明の実施の形態にかかる電気泳動用ゲル作製カセットの中板を示す図である。
【図１５】本発明の実施の形態にかかる電気泳動用ゲル作製カセットの中板に設けた長孔を説明するための平面図である。
【図１６】本発明の実施の形態にかかる電気泳動用ゲル作製カセットの中板に設けた長孔を説明するための拡大平面図である。
【図１７】本発明の実施の形態にかかる電気泳動用カセットホルダを示す分解斜視図である。
【図１８】本発明の実施の形態にかかる電気泳動用ゲルキャスタを示す図である。
【図１９】本発明の実施の形態にかかる電気泳動用ゲルの製造方法を示すフローチャートである。
【図２０】本発明の実施の形態にかかる電気泳動解析方法を示すフローチャートである。
【図２１】本発明の実施の形態にかかる電気泳動用ゲルで得られる作用効果を説明するための断面図である。
【図２２】本発明の実施の形態にかかる電気泳動用ゲルで得られる作用効果を説明するための断面図である。
【図２３】本発明の実施の形態にかかる電気泳動用ゲルで得られる作用効果を説明するための断面図である。
【図２４】本発明の実施の形態に対する比較例にかかる電気泳動用ゲルの断面図である。
【図２５】本発明の実施の形態にかかる電気泳動用ゲル作製カセットの変形例を示す断面図である。
【図２６】本発明の実施の形態にかかる電気泳動用ゲル作製カセットの変形例を示す断面図である。
【図２７】本発明の実施の形態にかかる電気泳動用ゲル作製カセットの変形例を示す断面図である。
【図２８】本発明の実施の形態にかかる電気泳動用ゲル作製カセットの変形例を示す断面図である。
【発明を実施するための形態】
【００１９】
［実施の形態にかかる装置の構成］
（電気泳動装置の構成）
図１は、本発明の実施の形態にかかる電気泳動用ゲルカセット１０１（以下、単に「ゲルカセット１０１」とも称す）、電気泳動用カセットホルダ２００（以下、「カセットホルダ２００」とも称す）、および電気泳動装置１０全体を示す斜視図である。ゲルカセット１０１は、後述する電気泳動用ゲル作製カセット１００を用いて電気泳動用のゲル１５０を作製した後、電気泳動用ゲル作製カセット１００の構成部品である上板１１０を取り除いたものである。
【００２０】
図１に示す電気泳動装置１０は、好ましい形態として、制御部１２と、分注器１４と、撮像部１５と、温度勾配装置１６と、分注器１４の一制御を行うアクチュエータ（図示せず）と、泳動液などを貯留した液体タンクおよびポンプなどから構成される液体供給装置１７と、電気泳動のための直流電圧を生成する直流電源装置１８とを備えている。ホルダ保管庫（図示せず）と、ＰＣＲ（Polymerase Chain Reaction；ポリメラーゼ連鎖反応）装置（図示せず）と、チップラック（図示せず）と、チップ廃棄ボックス（図示せず）と、が更に設けられていることが好ましい。これらの構成は、図示しない筐体の内部に収納されて外部端末から制御可能とされてもよい。温度勾配装置１６は、カセットホルダ２００を搭載する面の平面方向に温度勾配を形成可能な公知の各種装置を適用でき、たとえばホットプレート等であってもよい。撮像部１５は、カセットホルダ２００を上から見下ろすようにカセットホルダ２００上部に配置されている。分注器１４は、ＤＮＡサンプル１６０をゲル１５０に分注するための装置である。分注器１４は図示しないアームあるいはガイドレール電動モータその他の各種アクチュエータを介して制御部１２により位置制御が行われる。これにより分注器１４を水平方向および鉛直方向に移動させることができる。また、分注器１４は図示しないマイクロポンプと接続しており、マイクロポンプの作動により分注器１４の吸引力および吐出力を調整できるようになっている。これにより、分注器１４によるＤＮＡサンプル１６０の注入、吐出などを行うことができる。撮像部１５は、励起光源およびカメラを備えている。励起光源は、ゲルカセット１０１を透過して染色後のＤＮＡに励起光を照射するための光源である。カメラは、ゲルカセット１０１の透明な中板１２０を透過して、ゲル１５０の平面方向に形成された泳動像（バンドパターン）を撮像可能である。チップラックは、分注器１４に装着して使用するチップと呼ばれる部品を複数個収納している。試薬ラックは、電気泳動を行う際に使用する試薬を設置するものである。試薬は、ローディングバッファと呼ばれるものである。ＤＮＡサンプル１６０とこの試薬とを混合して、ゲル１５０に分注する。このようにすることで、ゲル１５０の長溝１５６にＤＮＡサンプル１６０を分注したときに、ＤＮＡサンプル１６０が拡散しないように安定させることができる。
【００２１】
図２は、ゲルカセット１０１とカセットホルダ２００とを示す斜視図である。図３は、カセットホルダ２００を示す平面図である。図１７は、カセットホルダ２００の分解斜視図である。カセットホルダ２００は、上面２０４及び底面２０６を備え、ガラスまたは光透過性樹脂で形成されており、底面２０６に受けた熱をゲルカセット１０１に伝えられる熱伝導性を有する。上面２０４には、ゲルカセット１０１を収納するための凹部２１０が設けられている。凹部２１０は、全体として十字型の輪郭を有するくぼみである。凹部２１０は、十字型の輪郭を有し、その中央に中央部２１１を有し、この中央部２１１の周囲を囲むように液体投入部２１２、２１４と枠部２１６、２１８とを備えている。液体投入部２１２、２１４からゲル１５０の端面が露出するので、液体投入部２１２、２１４に泳動液を投入することで、ゲル１５０の端面を泳動液に浸すことができる。液体投入部２１２、２１４には電極２２０、２２２が設けられている。電極２２０、２２２は例えば白金などの金属材料で構成されており、電極端子２２１、２２３と接続している。電極端子２２１、２２３は、カセットホルダ２００の片側に並べられており、直流電源装置１８に接続される。
【００２２】
図４は、ゲルカセット１０１を示す斜視図である。図５は、ゲルカセット１０１から抜き出した電気泳動用ゲル１５０（以下、単に「ゲル１５０」とも称す）を示す斜視図である。ゲルカセット１０１は、２枚の透明プレート（中板１２０および下板１３０）によってゲル１５０を挟み込んだものである。ゲルカセット１０１は、ガラスまたは光透過性樹脂で形成されており、ゲル１５０に熱を伝えることができる。ゲルカセット１０１は、後述する本実施の形態にかかるゲル作製カセット１００によりゲル１５０を作製した後に上板１１０を取り除いたものである。中板１２０には、長孔１２１が設けられている。長孔１２１からは、ゲル１５０の長溝１５６が露出している。
【００２３】
図５に示すゲル１５０の表面に図示されているように、長溝１５６は、細長溝部１５４と、細長溝部１５４よりも幅広の溝である幅広溝部１５５を備えている。細長溝部１５４はゲル１５０表面における上方端部付近に線状に形成されており、ゲル１５０の１つの辺と平行に伸びている。細長溝部１５４の片方の端部に幅広溝部１５５が設けられている。
【００２４】
図６は、ゲルカセット１０１の断面図であり、図４のＡ−Ａ平面に沿ってゲルカセット１０１を切断した断面図を示す。ゲル１５０に形成された長溝１５６は、図６に示すように、幅ＷＢを備える底面１５４ｂと、底面１５４ｂの一端と繋がる垂直側面１５４ｃと、底面１５４ｂの他端と繋がる傾斜側面１５４ａと、を備える。傾斜側面１５４ａは底面１５４ｂ側にかけて長溝１５６の幅を小さくするように傾斜している。長溝１５６の任意の深さ位置における、傾斜側面１５４ａの上端と垂直側面１５４ｃとの間の幅ＷＡは、底面１５４ｂの幅ＷＢ以上となる。垂直側面１５４ｃは、電気泳動中にＤＮＡサンプル１６０がゲル１５０の内部へ侵入する入口面となる。ゲル１５０の厚さは、長溝１５６の下方において厚さＤ１を有し、長溝１５６よりも下板１３０の中央側においては厚さＤ２（但しＤ２＜Ｄ１）である。
【００２５】
（電気泳動用ゲル作製カセットの構成）
本実施の形態にかかるゲル作製カセット１００は、図７〜図１４に示すごとき下板１３０、中板１２０、および上板１１０が重ねられたものである。図７は、本発明の実施の形態にかかる電気泳動用ゲル作製カセット１００（以下、単に「ゲル作製カセット１００」とも称す）を示す分解斜視図である。図８は、ゲル作製カセット１００の下板１３０を示す斜視図である。図９は、ゲル作製カセット１００の中板１２０を示す斜視図である。図１０は、ゲル作製カセット１００の上板１１０を示す斜視図である。図１１および図１２は、ゲル作製カセット１００を示す透視斜視図である。図１２は、図１１におけるＢ−Ｂ平面に沿ってゲル作製カセット１００を切断したときの断面を示す。図１３は、ゲル作製カセット１００の上板１１０を示す部分拡大斜視図である。図１４は、ゲル作製カセット１００の中板１２０を示す図である。
【００２６】
各図面には、便宜上、ＸＹＺ直交座標系を示している。「長手方向」は、上板１１０に設けられた凸部１１５および中板１２０に設けられた長孔１２１の長さ方向のことであり、ＸＹＺ直交座標系においては便宜上Ｘ軸方向とする。短手方向とは、すなわち長孔１２１の幅方向のことであり、ＸＹＺ直交座標系においては便宜上Ｙ軸方向とする。凸部１１５の高さおよび長孔１２１の深さは、ＸＹＺ直交座標系において便宜上Ｚ軸方向寸法とする。
【００２７】
図８に示すように、下板１３０は、中央に設けられそれぞれが平らであり中板１２０とは当接しない非当接面１３１および非当接面１３２と、非当接面１３１、１３２を区分する段差１３２ａと、非当接面１３１、１３２の両脇に設けられ中板１２０と当接する平らな当接面１３４と、当接面１３４に設けられた突起部１３５および細長凹部１３３と、を備えている。非当接面１３２は段差１３２ａの下段側の面であり、非当接面１３１は段差１３２ａの上段側の面である。当接面１３４は中板１２０の土手部１２４ａ、１２４ｂと隙間無く接する。突起部１３５は当接面１３４の法線方向に突出している。細長凹部１３３は、非当接面１３１、１３２と当接面１３４とを仕切っている。
【００２８】
図９に示すように、中板１２０は、中央に設けられた平らな中央面１２５と、中央面１２５の両脇に設けられた平らな土手部１２４ａ、１２４ｂと、この２つの土手部１２４ａ、１２４ｂにそれぞれ設けられ中板１２０を貫通する孔部１２６と、中央面１２５における中板１２０の一方端部付近に設けられた長孔１２１と、を備えている。長孔１２１は、中板１２０の厚さ方向に中板１２０を貫通しており、中板１２０の平面方向に線状に形成されている。長孔１２１は、長手方向の中央部に中央孔部１２２を有しており、さらに長孔１２１の長手方向の片側端に幅広孔部１２３が設けられている。土手部１２４ａ、１２４ｂは、長孔１２１の長手方向両端に設けられている。この土手部１２４ａ、１２４ｂにより、中板１２０の下板１３０との間に、薄板状ゲルを形成するためのゲル用隙間１４０をつくることができる。図４に示したゲルカセット１０１は、中板１２０と下板１３０との間のゲル用隙間１４０にゲル１５０が充填され、ゲル１５０の表面に凸部１１５に対応する長溝１５６が形成されたものである。ゲル用隙間１４０は、長孔１２１周辺から、中板１２０における長孔１２１の短手方向の両端部まで均一な幅で伸びている。これにより、土手部１２４ａ、１２４ｂは、長孔１２１の短手方向の両端部までゲル用隙間１４０を到達させる。その結果、ゲル用隙間１４０に充填されたゲル１５０の端面１５２、１５３（図５参照）が、ゲルカセット１０１の互いに対向する２つの端面から露出する。なお、本実施の形態では中板１２０にのみ土手部１２４ａ、１２４ｂを設けているが、土手部１２４ａ、１２４ｂを下板１３０にのみ設けても良く、あるいは下板１３０と中板１２０の両方に設けてもよい。
【００２９】
中板１２０の２つの角部には、上板１１０の角端部と中板１２０の角端部との間に隙間を形成するための面取部１２８が設けられている。面取部１２８は、中板１２０の他方の角部に設けられており、中板１２０と下板１３０との間にも隙間が形成される。面取部１２８が隙間を形成するので、上板１１０、中板１２０、および下板１３０の分解が容易となる。
【００３０】
中板１２０は好ましくは透明材料からなり、透明樹脂材料を用いて形成される。これにより中板１２０越しに泳動像（バンドパターン）を観察したり撮像したりすることもできる。なお、下板１３０も透明材料としても良く、上板１１０もこれらと同じ透明材料としても良いが、これに限られず、中板１２０以外を非透明材料としてもよい。
【００３１】
本実施の形態では下板１３０、中板１２０、および上板１１０の平面視形状をいずれも同一平面寸法の四角形、より具体的には長方形としている。下板１３０、中板１２０、および上板１１０は、それぞれが薄板状の平面体であり、表面、裏面、および表面と裏面とを結ぶ端面を有している。端面は、一方の端面、この一方の端面の反対側に設けられた他方の端面、およびこれらの端面を結ぶ一組の側端面を含んでおり、各端面は直角あるいは略直角に連結しているものとする。
【００３２】
長孔１２１は、上板１１０の１つの端面の側に偏らせて設けられている。土手部１２４ａ、１２４ｂは長孔１２１の長手方向両端にそれぞれに設けられ、長手方向両端に設けられた複数の土手部１２４ａ、１２４ｂは、下板１３０の平面視で互いに平行に伸びる段差を形成している。これらの平行な段差は中板１２０の第１端面１２０ａから第２端面１２０ｂまで連続して伸びている。ゲル用隙間１４０の幅寸法（Ｘ方向寸法）は、中板１２０における長孔１２１の短手方向両端部にかけて一定の幅寸法となっている。２つの土手部１２４ａ、１２４ｂの内側端には、細長突起部１２７が設けられている。この細長突起部１２７は下板１３０の細長凹部１３３と重なり、その結果ゲル用隙間１４０の両脇がシーリングされる。
【００３３】
図１０を参照して、上板１１０の構成を説明する。上板１１０は、一方の端部に設けられた鍔部１１６と、中板１２０と重なる主面１１２から突出し鍔部１１６の近傍に設けられた凸部１１５と、主面１１２から突出し両側面側に設けられた突起部１１７とを備えている。上板１１０は、突起部１１７を中板１２０の孔部１２６に差し込みつつ中板１２０の上に重ねることで、中板１２０と一体化される。突起部１１７と孔部１２６との嵌め合いにより一体化が行われているので、中板１２０から上板１１０を任意に取り外すことができる。
【００３４】
（上板が有する凸部の構成）
図１０の斜視図に示すように、凸部１１５は、櫛状（コーム状）の細長突起部である。凸部１１５は、中央凸部１１３と、凸部１１５の片側端部に設けられた幅広凸部１１４とを備えている。中央凸部１１３は、長孔１２１に沿って連続した一定の太さを有する線状の凸部である。凸部１１５の長手方向端部に設けられた幅広凸部１１４は、中央凸部１１３よりも幅広に形成されており、具体的には、幅広孔部１２３と同じ円形の輪郭を有する。幅広凸部１１４は幅広孔部１２３に重なる。本実施の形態では中央凸部１１３と幅広凸部１１４の両方が先細り形状となっているが、必ずしもこれに限られず、少なくとも中央凸部１１３が先細り形状であればよい。
【００３５】
凸部１１５の構成を詳細に説明するために、図１２および図１３を参照する。図１２は、下板１３０、中板１２０、および上板１１０を重ねた積層体（つまりゲル作製カセット１００）の断面図を示している。上板１１０が中板１２０に重ねられたとき、凸部１１５は長孔１２１に嵌る。このとき、図１２に示すように、凸部１１５の先端部１１５ｐは、長孔１２１からゲル用隙間１４０の中に突出する。これにより、ゲル１５０に先端部１１５ｐと同じ形状の長溝１５６を形成することができる。先端部１１５ｐの突出寸法は、先端部１１５ｐが下板１３０の非当接面１３２と接しない長さとし、ゲル１５０が下板１３０の非当接面１３２と先端部１１５ｐとの間にある程度の厚さで形成されるようにする。
【００３６】
図１３は、凸部１１５付近を拡大した上板１１０の斜視図である。凸部１１５は、上述したように中央凸部１１３および幅広凸部１１４から構成されている。中央凸部１１３は、互いに反対向きの第１側面１１３ｃおよび第２側面１１３ｄを備えている。第２側面１１３ｄ側における凸部１１５の先端付近には斜面１１３ｂが設けられており、この斜面１１３ｂ近傍の領域を先端部１１５ｐと称する。幅広凸部１１４は、全体として略円筒形であり、頂点側が緩やかなカーブで丸みを帯びた形状となっている。先端部１１５ｐにおける最も先端には、中央凸部１１３から幅広凸部１１４にわたって伸びる頂面１１３ａが設けられている。頂面１１３ａは、下板１３０と平行となっている。
【００３７】
図１３に示す上板１１０の斜視図からよく理解されるように、先端部１１５ｐは、凸部１１５の高さ方向に先細り形状である。「高さ方向」とは、凸部１１５の突出する方向であり、主面１１２の法線方向である。本実施の形態では、凸部１１５の先細り形状は具体的には先端部１１５ｐの角部を部分的に斜めとしたものである。この「斜め」とは、一定の傾斜を有する斜面１１３ｂ（つまり平斜面１１３ｂ）とするものとしている。好ましい形態として、頂面１１３ａが下板１３０と平行となっている。凸部１１５は、中板１２０の中央側を向く第１側面１１３ｃと、中板１２０の端面側を向く第２側面１１３ｄとを有している。凸部１１５の先細り形状は、先端部１１５ｐにおける第２側面１１３ｄ側の角部のみを斜めとしたものである。
【００３８】
本実施の形態にかかる凸部１１５は、上板１１０に長孔１２１に沿って連続的に伸びる線状の中央凸部１１３を有する。これは、ゲル１５０に連続した長溝１５４を形成して、ここに電気泳動解析を行うサンプル（具体的にはＤＮＡサンプル１６０）を分注するためである。しかしながら、本発明はこれに限られない。中央凸部１１３の代わりに、長孔１２１に沿って離間的に設けられた複数の凸部を設けてもよい。この場合には、ゲル１５０の表面に設けられる溝は、長溝１５６よりも短い複数の小溝が一列に並んだものとなる。その複数の小溝それぞれにサンプルを分注して電気泳動を行うこともできる。なお、先細り形状の形成方法は限定されず、削り加工による面取りであってもよく、上板１１０用の樹脂成型金型において先端部１１５ｐが先細りとなるようにしておいてもよい。
【００３９】
鍔部１１６は、上板１１０の片側端部に設けられており、中板１２０の端においてゲル用隙間１４０を塞ぐ。ゲル用隙間１４０にゲル溶液を注入することで、ゲル溶液はゲル用隙間１４０内を進行してゲル用隙間１４０内を満たす。この、鍔部１１６は、ゲル１５０の端部を保護する機能を果たす。すなわち、鍔部１１６が設けられていない場合には、ゲル１５０が中板１２０と上板１１０の間からはみ出すので、そのはみ出したゲル１５０を取り除く作業中に長溝１５６周辺のゲル１５０を破損してしまうおそれがある。この点、鍔部１１６を設けることでそのような作業をなくし、高い歩留まりでゲルカセット１０１を作製することができる。
【００４０】
（長孔の構成）
図６および図１２に示されているように、長孔１２１の内周面は、上板１１０に重なる側の角（言い換えると長孔１２１の縁）が面取りされている。その結果、面取りされた内周斜面１２２ａおよび垂直な内周側面１２２ｂにより長孔１２１の内周面が構成されている。長孔１２１を構成する内周側面１２２ｂと凸部１１５との間には隙間が設けられる。具体的には、図１２に示すように、凸部１１５は、中板１２０の中央側を向く第１側面１１３ｃと、中板１２０の端面側を向く第２側面１１３ｄとを有している。第１側面１１３ｃとこれと向かい合う内周側面１２２ｂとの間の隙間をＯ１とする。第２側面１１３ｄとこれと向かい合う内周側面１２２ｂとの間の隙間をＯ２とする。隙間Ｏ１は、隙間Ｏ２よりも大きいことが好ましい。図１５は、ゲル作製カセット１００の中板１２０に設けた長孔１２１を説明するための平面図である。図１６は、長孔１２１を説明するための拡大平面図である。上記の大小関係Ｏ１＞Ｏ２を実現するために、図１６に示すように長孔１２１の幅方向が片側だけ大きくされている（寸法Ｗ３）。なお隙間Ｏ２の大きさは、零であってもよい。これによる効果を図６の断面図を参照して説明すると、電気泳動の際にＤＮＡサンプル１６０は中板１２０の中央側へと進むので、第１側面１１３ｃにより形成されるゲル１５０の長溝１５６側面は、ＤＮＡサンプル１６０がゲル１５０内へと進入する際の入口面となる。第１側面１１３ｃと内周側面１２２ｂとの間の隙間Ｏ１を大きく確保することによって、十分な量のゲル１５０溶液が安定的に第１側面１１３ｃ側へと到達するので、入口面を凹凸のない平滑な面に形成することができる。
【００４１】
図１６に示すように、長孔１２１における長手方向の中央孔部１２２は第１の幅Ｗ１を有している。長孔１２１の長手方向端には、第１の幅Ｗ１よりも広い第２の幅Ｗ２を有する幅広孔部１２３が設けられている。幅広孔部１２３は、中板１２０の平面視で、円形の輪郭を有している。分注器１４によりＤＮＡサンプル１６０を分注した後、最後にマイクロポンプで完全吐出したときのエアを幅広孔部１２３で受けることができる。これは特に自動式電気泳動装置において有効である。つまり、分注器１４を制御プログラムに従って操作し、複数のゲル１５０に分注を行っていく際に、今回の分注を終了する際に長溝１５６の終端に設けた幅広孔部１２３でエア抜きができる。これにより、次回の分注動作へとスムーズに移行できるとともに、エア抜きのためだけに分注器を特定の場所へ移動させるなどの措置が必要なくなる。
【００４２】
（ゲルキャスタ）
図１８は、電気泳動用ゲルキャスタ３００（以下、単に「ゲルキャスタ３００」とも称す）を示す図である。ゲルキャスタ３００は、凹部３２２を備えるキャスタ本体３２０と、蓋３１０と、固定ねじ３３０とを備えている。凹部３２２は、ゲル作製カセット１００を３枚重ねて挿入できる奥行き寸法Ｄ３を有している。このゲルキャスタ３００は、上記特許文献２（特許第４４２４９３８号公報）で開示されたゲルキャスタと同様の構造とし、同様の方法で使用することができるので、ここではこれ以上の説明は省略する。
【００４３】
［実施の形態にかかる方法および動作］
図１９は、本発明の実施の形態にかかる電気泳動用ゲル１５０の製造方法を示すフローチャートである。図１８のフローチャートでは、まず、ゲル作製カセット１００を準備し、上板１１０、中板１２０および下板１３０を組み立てる（ステップＳ１）。次に、ゲルキャスタ３００にゲル作製カセット１００を３枚重ねで入れる（ステップＳ２）。次に、中板１２０と下板１３０との間のゲル用隙間１４０にゲル１５０溶液を入れる（ステップＳ３）。その後、ゲル１５０溶液が固化する（ステップＳ４）。ゲル１５０溶液が固化した後に、図１７のゲルキャスタ３００からゲル作製カセット１００を取り出す（ステップＳ５）。これらの工程は、上記特許文献２（特許第４４２４９３８号公報）に記載されたゲル注入工程等と同様なので、詳細な説明は省略する。
【００４４】
次に、上板１１０を中板１２０から取り外す（ステップＳ６）。上板１１０の取り外しの際には、中板１２０の面取部１２８により形成された隙間にピンや指を入れるなどして、容易に上板１１０を取り外すことができる。本実施の形態によれば、ゲル用隙間１４０内にゲル１５０溶液を入れてそのゲル１５０溶液が固化した後に上板１１０を中板１２０から取り外すことにより、中板１２０が長孔１２１周辺を押さえ付けつつ凸部１１５をゲル１５０から一定方向に抜き出すことができるので、ゲル１５０の破損を抑制しつつ長孔１２１内に長溝１５６を正確に形成することができる。上板１１０を取り外したあと、中板１２０、ゲル１５０、および下板１３０の積層体がゲルカセット１０１を構成する。
【００４５】
図２０は、本発明の実施の形態にかかる電気泳動解析方法を示すフローチャートである。制御部１２は、予め下記の制御動作を実行するためのプログラムを内部のメモリに記憶している。以下の電気泳動解析方法は、上記の方法で作製されたゲルカセット１０１を、上記特許文献３（国際公開第２０１４／１７８１０７号公報）に記載した自動電気泳動装置に用いることを想定したものである。しかしながら、これは本実施の形態にかかるゲルカセット１０１の利用方法の一例を示すものであり、下記に示す手順と異なる電気泳動解析方法にゲルカセット１０１を使用することはもちろん可能である。
【００４６】
図２０のフローチャートでは、まず、ゲルカセット１０１が用意され（ステップＳ１０）、ゲルカセット１０１がカセットホルダ２００にセットされる（ステップＳ１１）。カセットホルダ２００が温度勾配装置１６上に配置される（ステップＳ１２）。これらの作業は、好ましくは、図示しない搬送装置などにより自動的に行われる。
【００４７】
次に、ＤＮＡサンプル１６０が分注される（ステップＳ１３）。制御部１２は、分注器１４を制御して吸取動作、撹拌動作、配置動作、および吐出動作を実行する。吸取動作とは、分注器１４がチップラック内のチップを装着し、ＰＣＲ装置からＤＮＡサンプル１６０を吸い取る動作である。撹拌動作とは、ＰＣＲ装置から吸引したＤＮＡサンプル１６０を試薬ラックにある試薬と混合するように吸引と吐出を繰り返す動作である。配置動作とは、撹拌動作のための試薬ラックの所定位置や温度勾配装置１６上のカセットホルダ２００における所定位置に分注器１４を移動させる動作である。吐出動作とは、分注器１４に装着したチップ内にある試薬と混合されたＤＮＡサンプル１６０を分注器１４に吐き出させる動作である。吐出動作の際には、ＤＮＡサンプル１６０を長孔１２１から分注する。ＤＮＡサンプル１６０は、長溝１５６の伸びる方向に沿って、長溝１５６と平行に、均一に分注される。分注の最後に、幅広孔部１２３に達した分注器１４は、エア吐出を行う。
【００４８】
次に、液体投入部２１２に泳動液と染色液とを混合した混合液を入れ、液体投入部２１４に泳動液を入れる（ステップＳ１４）。なお液体投入部２１４にも染色液を入れても良い。次に、泳動液に直流電圧をかけて電気泳動を行うとともに、温度勾配装置１６を制御することで電気泳動中にゲル１５０に温度勾配を与える（ステップＳ１５）。染色液と泳動液は、電気泳動を開始する前に混合しておく。染色液は、荷電した染色液を用いる。このような状態で電気泳動を行えば、泳動液とともに染色液も電気泳動の原理でゲル１５０内を浸透していく。その結果、ＤＮＡサンプル１６０に対する電気泳動および染色を一括して行うことができる。このような電気泳動技術については国際公開第２０１４／１７８１０７号公報（国際出願番号ＰＣＴ/ＪＰ２０１３/０６２５９２）により詳細な事項が開示されているので、ここではこれ以上の説明は省略する。
【００４９】
電気泳動後に、下板１３０側から（あるいは上板１１０側から）、垂直（あるいは斜め）に励起光を当て、中板１２０を取り外すことなく、ゲル１５０を撮像部１５のカメラで撮像する（ステップＳ１６）。ステップＳ１６の工程が完了すると、今回のＤＮＡ解析が終了したかどうかを判定する（ステップＳ１７）。今回の予定が１回の解析であれば、今回のルーチンが終了する。一方、複数回の解析を行う予定なのであれば、処理はステップＳ１０へと戻り、その予定回数の解析が終了するまで、他のゲルカセット１０１を用いて次回以降の解析が同様に繰り返される。電気泳動装置１０においては、手動で又は好ましくは他の機械で自動的に今回のカセットホルダ２００を取り除いた後、好ましくは搬送装置が新たなカセットホルダ２００を送り出すことでカセットホルダ２００の交換が行われ、上記各ステップＳ１０〜Ｓ１７の処理が必要回数分だけ繰り返される。その後、解析の回数が予定回数に達したら、今回のルーチンが終了する。なお、ステップＳ１０の処理においては、複数個のゲルカセット１０１が予め準備されて図示しないカセット用ラックに補完されていても良く、図示しない搬送装置（例えばコンベヤ、アームその他の搬送用アクチュエータ）がカセット用ラックから必要回数分だけ自動的にゲルカセット１０１を所定位置に配置するように、電気泳動装置１０が構成されていても良い。
【００５０】
図２１〜図２３は、ゲル１５０で得られる作用効果を説明するための断面図である。図２４は、比較例にかかるゲル１５０の断面図である。本願発明者は、独自の研究により、ＤＮＡサンプル１６０を分注する長溝１５６を深さ方向に先細りの幅とすることで、図２４の比較例と比べて、泳動像（バンドパターン）を鮮明にできることを見出した。泳動像が鮮明になることは本願発明者が行った実験により確認されているが、そのメカニズムについて本願発明者が考察した結果を下記に示す。直流電圧が印加されて電気泳動が開始されると、荷電したＤＮＡサンプル１６０がゲル１５０内部を移動する。なお、図面ではＤＮＡサンプル１６０の一塊をサンプル分子１６１として１つの丸で模式的に図示しているが、これはＤＮＡサンプル１６０の動きを説明するための便宜上のものである。図２４に示す比較例では、ゲル１５０の長溝１１５６はその幅が一定であり、先にゲル１５０内に進入したサンプル分子１６１と、後からゲル１５０内に進入するサンプル分子１６１との間の遅れは、長溝１１５６の幅に等しい。これに対し、本実施の形態にかかるゲル１５０では、長溝１５６が傾斜側面１５４ａを有している。図２１〜図２３には、電気泳動中にサンプル分子１６１がゲル１５０内に進入していくことで長溝１５６内のＤＮＡサンプル１６０が減っていく様子を模式的に示している。長溝１５６の深い側では、長溝１５６の幅が比較例の長溝１１５６と比べて小さい。これにより、サンプル分子１６１それぞれがゲル１５０の中を進行する際に、先発でゲル１５０に進入したサンプル分子１６１と後発でゲル１５０に進入したサンプル分子１６１との遅れが、比較例の場合と比べて小さくなると考えられる。ゲル１５０の中の進行遅れが小さくなれば、サンプル分子１６１の広がりが小さくなるので（言い換えればサンプル分子１６１がまとまって移動するので）、より鮮明な泳動像を得ることができると考えられる。本実施の形態にかかるゲル作製カセット１００によれば、このような先細り断面形状の長溝１５６を、簡単な手順でかつ高い歩留まりでゲル１５０に形成することができる。
【００５１】
本実施の形態では、好ましい形態として、凸部１１５の頂面１１３ａが下板１３０と平行となっている。これにより、ゲル１５０の長溝１５６に、底面１５４ｂを形成することができる。仮に、底面１５４ｂが無く、傾斜側面１５４ａと垂直側面１５４ｃとが交わることとなると、長溝１５６がその底まで先細りとなる形状を取ることもできる（後述する図２５の変形例参照）。この場合、本願発明者の実験結果によれば、泳動像（バンドパターン）が細すぎて、パターンにかすれが生じてしまうという問題がある。これを避けるためには、長溝１５６が深さ方向に尖りすぎていることは好ましくないと考えられる。そこで、長溝１５６に平らな底面１５４ｂを形成することが好ましく、そのためには頂面１１３ａを下板１３０と平行とすることが好ましい。
【００５２】
［実施の形態の変形例］
図２５〜図２７は、ゲル作製カセット１００の変形例を示す断面図である。本実施の形態にかかる凸部１１５の先細り形状は、好ましい形態として、先端部１１５ｐの角部を部分的に斜めとしたものであり、頂面１１３ａが下板１３０と平行としている。ただし、先細り形状はこれに限られず、様々な具体形状が含まれる。図２５に示す凸部１１５１のように、先端部１１５ｐを斜面のみの構成としてもよい。この場合、底面１５４ｂが無く、傾斜側面１５４ａと垂直側面１５４ｃとが交わることとなると、長溝１５６がその底まで先細りとなる形状を取る。この場合も、図２４の比較例と比べれば、泳動像を鮮明にできるという効果は得られる。また、先端部１１５ｐの形状は、一定の傾斜を有する斜面１１３ｂ（つまり平斜面）とするものに限られない。図２６に示す凸部１１５２のように先端部１１５ｐの角部を凸曲面とすることで傾斜角度が変化する斜面（つまり曲斜面）とするものであってもよい。或いは図２６と逆に凹曲面としてもよい。図２７に示す凸部１１５３のように、先端部１１５ｐの角部を、傾きの異なる複数の平斜面を連結させた多角斜面としてもよい。図２８に示す凸部１１５４のように、先細り形状は、凸部１１５の根元から先端部１１５ｐにかけて凸部１１５の第２側面１１３ｄを全体的に斜め形状（テーパ形状）としたものであっても良い。
【符号の説明】
【００５３】
１０  電気泳動装置
１２  制御部
１４  分注器
１５  撮像部
１６  温度勾配装置
１７  液体供給装置
１８  直流電源装置
１００  電気泳動用ゲル作製カセット
１０１  電気泳動用ゲルカセット
１１０  上板
１１２  主面
１１３  中央凸部
１１３ａ  頂面
１１３ｂ  斜面（平斜面）
１１３ｃ  第１側面
１１３ｄ  第２側面
１１４  幅広凸部
１１５、１１５１、１１５２、１１５３、１１５４  凸部
１１５ｐ  先端部
１１６  鍔部
１１７  突起部
１２０  中板
１２０ａ  第１端面
１２０ｂ  第２端面
１２１  長孔
１２２  中央孔部
１２２ａ  内周斜面
１２２ｂ  内周側面
１２３  幅広孔部
１２４  土手部
１２４ａ  土手部
１２５  中央面
１２６  孔部
１２７  細長突起部
１２８  面取部
１３０  下板
１３１、１３２  非当接面
１３２ａ  段差
１３３  細長凹部
１３４  当接面
１３５  突起部
１４０  ゲル用隙間
１５０  電気泳動用ゲル
１５２、１５３  端面
１５４  細長溝部
１５４ａ  傾斜側面
１５４ｂ  底面
１５４ｃ  垂直側面
１５５  幅広溝部
１５６  長溝
１６０  サンプル
１６１  サンプル分子
２００  電気泳動用カセットホルダ
２０４  上面
２０６  底面
２１０  凹部
２１１  中央部
２１２、２１４  液体投入部
２１６、２１８  枠部
２２０、２２２  電極
２２１、２２３  電極端子
３００  電気泳動用ゲルキャスタ
３１０  蓋
３２０  キャスタ本体
３２２  凹部
【図１】
2016211963.tif 000003
【図２】
2016211963.tif 000004
【図３】
2016211963.tif 000005
【図４】
2016211963.tif 000006
【図５】
2016211963.tif 000007
【図６】
2016211963.tif 000008
【図７】
2016211963.tif 000009
【図８】
2016211963.tif 000010
【図９】
2016211963.tif 000011
【図１０】
2016211963.tif 000012
【図１１】
2016211963.tif 000013
【図１２】
2016211963.tif 000014
【図１３】
2016211963.tif 000015
【図１４】
2016211963.tif 000016
【図１５】
2016211963.tif 000017
【図１６】
2016211963.tif 000018
【図１７】
2016211963.tif 000019
【図１８】
2016211963.tif 000020
【図１９】
2016211963.tif 000021
【図２０】
2016211963.tif 000022
【図２１】
2016211963.tif 000023
【図２２】
2016211963.tif 000024
【図２３】
2016211963.tif 000025
【図２４】
2016211963.tif 000026
【図２５】
2016211963.tif 000027
【図２６】
2016211963.tif 000028
【図２７】
2016211963.tif 000029
【図２８】
2016211963.tif 000030